(57)【特許請求の範囲】
【請求項１】
側壁上方に流入口、その下方に流出口、下端部に排水口を、内部には、上記流入口、流出口間にシリンダを、流出口、排水口間に上記シリンダより小径の上向きの排水弁座を設ける弁箱と、上記流入口からの水の密封手段を有する操作桿と、上記操作桿下端部に上下動自在に連結され、上記シリンダを下方から密封する逆止環状パッキンを装着した逆止ピストンと、その下端部に上下動自在に連結され、下端に上記排水弁座を閉塞する排水パッキンを装着する排水弁と、上記逆止ピストンに上向きの押圧力を与えるばねとからなる逆流防止型水抜弁。
【発明の詳細な説明】
【０００１】
【発明の属する技術分野】
本発明は、逆流防止型水抜弁に関し、特に、逆流防止を一層確実ならしめた水抜弁に関する。
【０００２】
【従来の技術】
従来、この種の水抜弁には、例えば同一出願人による特願平６ー７９４８０号公報のもののように、ピストンの細径部にばねにより押圧された逆流防止弁を別体に装着したものが多く使用されてきていた。しかし、上記のものにあっては、逆流防止弁の内外に２個のパッキンを装着しているため、例えばパッキンが損傷したり、パッキンに異物がはさまったりして逆流が生じる可能性がそれだけ多くなり、その場合には逆流を阻止する手段を有していないという問題があり、あるいは、逆流防止の機能を検査する場合、ピストンを引き抜いて分解し、パッキンに異常がないか調べてみなければならず、やっかいなため、実際には検査していないというのが実状であった。
【０００３】
【発明が解決しようとする課題】
そのため本発明は、上記公知例の有する欠陥を除去し、パッキンが損傷しても逆流が生じにくく、かつ、逆流防止の機能を容易に検査できる逆流防止型水抜弁を提供することを目的とする。
【０００４】
【課題を解決するための手段】
上記目的を達成するため本発明は、流入口からの水の密封手段を有する操作桿下端に、流入口、流出口間のシリンダを下方から密封する逆止環状パッキンを装着し、ばねにより上向きに押圧された逆止ピストンを上下動自在に連結し、さらにその下端に、流出口、排水口間に上向きに設けられる、上記シリンダより小径の排水弁座を閉塞する排水パッキンを装着した排水弁を上下動自在に連結させたものであり、逆流防止用の環状パッキンが１個で済むので、それだけパッキンの事故の確率も少なくなり、逆流が生じたときには、上記シリンダと排水弁座との面積差による流出側配管の水圧力も加わって、蛇口を閉じた通常の逆止ピストンの位置よりもさらに逆止ピストンは上昇し、下端に係止した排水弁を排水弁座から離脱させ、流出口配管側の水を排水口から排出するため、逆止環状パッキンが損傷したような場合にあっても本管側への逆流はそれだけ生じにくくなり、さらに、排水状態で排水口からの水が止まるかどうかを確認すれば、逆流防止の機能の有無を容易に検査できるものである。
【０００５】
【発明の実施の形態】
本発明は、操作桿の下端部に流入口、流出口間を遮断する逆止ピストンを、逆止ピストンの下端に排水弁を、それぞれ上下動自在に連結することを基本構成とするものであり、連結態様の如何を問わない。横からピンやビスで連結しても良いし、Ｏリングを抜け止め部材としても良く、挿入した後で、機械的に変形させて離脱不能にすることもできる。
【０００６】
操作桿をねじで上下動させる代わりに、カム、レバー等で上下動させ、ハンドル回転数を少なくしても良く、モーターを用いて電気的に遠隔操作するようにもできる。また、流入口からの水の密封手段として、環状パッキンを操作桿に装着して弁箱の流入口上方に形成したシリンダに密着させるようにしても良く、シリンダ上端に接続される操作部本体上端部に装着しても良い。
【０００７】
逆止ピストンを上向きに押圧するばねを、逆止ピストンと排水弁間に設ければ排水弁にはばねによる下向きの押圧力が働くため、排水口への漏水防止という点では有利であるが、操作桿と逆止ピストン間、あるいは逆止ピストン下端部に位置させることもでき、負圧時の逆止ピストンの上昇力がより大きくなるという利点がある。
【０００８】
【実施例】
実施例について図面を参照して説明すると、図１において、１は弁箱であり、側壁上方に流入口２を、その下方に流出口３を、それぞれ端部が同軸上に位置するよう設け、下端に排水口４を設けている。内部には、流入口２と流出口３間にシリンダ５を、流出口３と排水口４間に上記シリンダ５より小径の上向きの弁座６を設けている。
【０００９】
上端に、間にストッパー７を介して操作部本体８を接続、固定し、その内部に作動用雄ねじ９を設けた操作桿１０を収容し、操作桿１０の雄ねじ９の下方に環状パッキン１１を装着した密封部１２を設け、そこから細径部１３を垂下し、下端に鍔部１４を形成する。上端にはハンドル１５を取り付ける。
【００１０】
１６は逆止ピストンであり、上端に、側壁を穿った管吊り部１７を設けて操作桿１０と連結し、その下方に、シリンダ５を下方から密封する逆止環状パッキン１８を装着し、下端に設けた係止部１９との間に排水横穴２０を穿っている。内部には、下端に弁座６を閉塞する排水パッキン２１を装着し、上端に突起２２を設けた排水弁２３をばね２４を介在させて連結、収容している。排水弁２３は樹脂で形成され、上端から排水パッキン２１の上方部まで切り離した、切り欠き部２５を設けており、逆止ピストン１６に連結するときは、樹脂の弾力性を利用して突起２２をすぼめるようにして挿入すればよい。２６は逆止ピストン１６の案内となるガイドシリンダである。
【００１１】
図は通水状態を示しており、流入口２からの水はばね２４を圧縮し、逆止ピストン１６をガイドシリンダに沿って下降させ、流出口３を通って流出口下流側配管末端にもうけた蛇口（図示せず）から放水されている。この時、環状パッキン１１及び排水パッキン２１により、作動用雄ねじ９、排水口４側への漏水はない。
【００１２】
蛇口を閉じたときには、ばね２４の復元力により逆止ピストン１６は上昇し、下端に設けた係止部１９が排水弁２３の突起２２に当接した状態で、排水弁２３が受ける下向きの水圧力により上昇を停止する。このとき、逆止環状パッキン１８はシリンダ５に密着するようにしている。
【００１３】
通水状態の時、本管側に断水等で負圧が発生した場合は、大気圧と負圧の差圧と流出側配管のヘッド圧を加えたものに、シリンダ５と排水弁座６の面積差を乗じた上昇力を受けて、逆止ピストン１６は上述した蛇口を閉じた状態からさらに上昇し、管吊り部１７の上端がストッパー７の下端に当接して停止するが、この時には排水弁２３の排水パッキン２１は完全に排水弁座６から離脱しているため、流出口配管側の水は排水口４から排出されることになり、逆止環状パッキンが損傷したような場合にあっても本管内への汚水の混入を有効的に防止し得る。
【００１４】
次に、冬、管内の水抜きをするときは、図の状態からハンドル１５を回転させると操作桿１０は作動用雄ねじ９により回転しながら上昇し、それに伴って細径部１３下端の鍔部１４に管吊り部１７が係止されて逆止ピストン１６も上昇し、まず逆止環状パッキン１８がシリンダ５に密着して流入口２からの水を遮断し、さらに上昇して係止部１９が突起２２に当接し、排水弁２３を上昇させる。最終的には管吊り部１７の上端がストッパー７の下端に当接して上昇を停止し、排水状態となる。そのため、流出側配管内の水は排水横穴２０、切り欠き部２５を通って排水口４から排出され、管内は空になるので、凍結は防止される。
【００１５】
なお、排水状態で、排水口からいつまでも水が出ている場合は、逆止環状パッキンの事故だということがすぐ分かるため、従来品のように、いちいちピストンを弁箱から引き抜き、ピストンを分解してパッキンを取り外して見てみなければ逆止弁として正常な機能を果たしうるか、検査できないということもなく、便利となる。さらに、水の落とし忘れ等により、流出口側配管が凍結したような場合、異常圧力が発生して配管を破裂させることもあるが、本発明においては、異常圧力を排水口から逃がすため、凍結による配管の破損防止に有効となる。
【００１６】
【発明の効果】
上述したように本発明の不凍給水栓にあっては、逆止環状パッキンは１個で済むので、事故の可能性が減少し、本管側に負圧が生じた場合には排水口が開口されるため、逆止環状パッキンが損傷したような場合にあっても、それだけ本管側に汚水が吸引される可能性が少なくなり、さらに、逆流防止弁の機能の検査を容易に行うことができるという効果の他に、凍結による配管の破損防止に有効である、という利点も併せ有する。
【図面の簡単な説明】
【図１】本発明の１実施例を示す、通水状態における縦断面図である。
【符号の説明】
１        弁箱
２        流入口
３        流出口
４        排水口
５        シリンダ
６        排水弁座
７        ストッパー
８        操作部本体
９        作動用雄ねじ
１０        操作桿
１１        環状パッキン
１２        密封部
１３        細径部
１４        鍔部
１５        ハンドル
１６        逆止ピストン
１７        管吊り部
１８        逆止環状パッキン
１９        係止部
２０        排水横穴
２１        排水パッキン
２２        突起
２３        排水弁
２４        ばね
２５        切り欠き部
２６        ガイドシリンダ
【図１】
0003900573.tif 000002